(57)【要約】【課題】  光信号の搬送波波長を再割り当てする光ネットワーク、方法及びシステムを提供する。【解決手段】  光信号の搬送波波長を再割り当てする光ネットワークは、第１及び第２の光ノードを有し得る。第１の光ノードは、光経路に沿って光信号を送信するよう構成されても良い。第１の光ノードは、光信号の搬送波波長を再割り当てするために、光信号の搬送波波長を連続関数に従って第１の波長から第２の波長に調整するよう構成されても良い。第２の光ノードは、光信号を受信するよう構成され、光信号の搬送波波長に近付くよう基準光信号の波長を調整するよう構成されるフィードバックループを有しても良い。【選択図】  図１Ａ
2013198167.tif 000002
【特許請求の範囲】
【請求項１】
光信号の波長を再割り当てする光ネットワークであって、前記光ネットワークは、
光経路に沿って光信号を送信するよう構成された第１の光ノードであって、前記第１の光ノードは、前記光信号の搬送波波長を再割り当てするために、連続関数に従って前記光信号の搬送波波長を第１の波長から第２の波長に調整する、第１の光ノードと、
前記光信号を受信するよう構成された第２の光ノードであって、前記第２の光ノードは、基準光信号の波長を調整して前記光信号の搬送波波長に近付けるよう構成されたフィードバックループを有する、第２の光ノードと、
を有する光ネットワーク。
【請求項２】
前記第１の光ノードと前記第２の光ノードとの間に前記光経路内に配置された第３の光ノードであって、前記第３の光ノードの光パススルー帯域幅は、前記光信号の搬送波波長に基づき調整される、第３の光ノード、
を更に有する請求項１に記載の光ネットワーク。
【請求項３】
前記第３の光ノードは、調整可能なフィルタ、可変帯域幅波長選択スイッチ、又は光波長コンバータを有する、請求項２に記載の光ネットワーク。
【請求項４】
前記第１の光ノード及び前記第２の光ノードの各々は、通信機又はトランスポンダを有する、請求項１に記載の光ネットワーク。
【請求項５】
前記第１の光ノードは、光波長コンバータを有する、請求項１に記載の光ネットワーク。
【請求項６】
前記光経路内に配置された第３の光ノード、を更に有し、
前記第１の光ノードは前記第３の光ノードと前記第２の光ノードとの間にあり、前記第３の光ノードは、第３の波長に等しい前記光信号の搬送波波長で、前記光信号を前記光波長コンバータへ送信するよう構成される、
請求項５に記載の光ネットワーク。
【請求項７】
前記第３の光ノードは、前記光信号の波長を前記第３の光ノードと前記第１の光ノードの間に再割り当てするために、連続関数に従って前記光信号の搬送波波長を前記第３の波長から第４の波長に調整するよう構成される、請求項６に記載の光ネットワーク。
【請求項８】
連続関数に従った光信号の搬送波波長の調整は、搬送波波長を前記第１の波長と前記第２の波長の間の波長範囲で行き来させる、請求項１に記載の光ネットワーク。
【請求項９】
光信号の波長再割り当ての方法であって、前記方法は、
光信号を受信するよう構成された第１の光ノードへ光経路に沿って光信号を送信し、
前記光信号の搬送波波長を再割り当てするために、連続関数に従って前記光信号の搬送波波長を第１の波長から第２の波長に調整し、
前記第１の光ノードにおける前記光信号の搬送波波長と基準光信号の波長との間の周波数オフセットを推定し、
前記の推定した周波数オフセットに基づき、前記光信号の搬送波波長に近付くよう、前記基準光信号の波長を調整する、
方法。
【請求項１０】
光ネットワーク内で光信号の波長を再割り当てするシステムであって、前記システムは、
光経路に沿って光信号を送信するよう構成された第１の光ノードであって、前記第１の光ノードは、連続関数に従って前記光信号の搬送波波長を第１の波長から第２の波長に調整するよう構成される、第１の光ノードと、
前記光信号を受信するよう構成された第２の光ノードであって、前記第２の光ノードは、前記光信号の搬送波波長が調整されるとき、前記光信号の搬送波波長に近付くよう基準光信号の波長を調整するよう構成された基準制御部を有する、第２の光ノードと、
前記第１及び第２の光ノードの間の前記光経路内に配置された第３の光ノードであって、前記第３の光ノードは、調整可能な光パススルー帯域幅を有する、第３の光ノードと、
前記第１の光ノードに、前記光信号の搬送波波長を前記第２の波長に調整するよう指示し、前記第３の光ノードに、前記光信号の搬送波波長に基づき前記光ノードの光パススルー帯域幅を調整するよう指示するよう構成されたネットワーク制御部と、
を有するシステム。
【発明の詳細な説明】
【技術分野】
【０００１】
本願明細書で議論される実施形態は、光ネットワークに関する。
【背景技術】
【０００２】
幾つかの光ネットワークは、波長分割多重を用いて複数の光信号を単一の光ファイバに多重化する。異なる光信号は、光の異なる搬送波波長を用い、単一の光ファイバの中で個々の波長チャネル内でそれら個々の信号を伝達することができる。例えば、単一の光ファイバは、それぞれ８個の光信号のうちの異なる１つに対応する８個の異なる波長チャネルを有し得る。
【０００３】
幾つかの環境では、光信号がデータを送信しているのと同時に、１又は複数の光信号は、異なる搬送波波長に、したがって異なるチャネルに再割り当て得る。データ損失を回避するため、光ネットワークは、ブリッジアンドロール技術を用いて、光信号の搬送波波長を再割り当てする。ブリッジアンドロール技術を用いるために、光ネットワークは、異なる波長で動作する送信機及び受信機の２つの対を用い得る。例えば、送信機及び受信機の第１の対は、第１の波長で光信号を送信する。光信号を第２の波長に再割り当てするために、光ネットワークは、送信機及び受信機の第２の対を用いて第２の波長で光信号を送信し始める。信機及び受信機の第２の対を用いて第２の波長で光信号を確立した後、光ネットワークは、第１の波長での光信号の送信を終了できる。このように、光ネットワークは、ブリッジアンドロール技術を用いて、光信号の搬送波波長を再割り当てできる。
【０００４】
本願明細書で請求される主題は、上述のような欠点を解決する実施形態や上述のような環境でのみ機能する実施形態に限定されない。むしろ、この背景技術は、単に、本願明細書に記載される複数の実施形態が実施される技術分野の一例を説明するために提供される。
【発明の概要】
【発明が解決しようとする課題】
【０００５】
光信号の搬送波波長を再割り当てする光ネットワーク、方法及びシステムを提供する。
【課題を解決するための手段】
【０００６】
一実施形態の態様によると、光信号の搬送波波長を再割り当てする光ネットワークは、第１及び第２の光ノードを有し得る。第１の光ノードは、光経路に沿って光信号を送信するよう構成されても良い。第１の光ノードは、光信号の搬送波波長を再割り当てするために、光信号の搬送波波長を連続関数に従って第１の波長から第２の波長に調整するよう構成されても良い。第２の光ノードは、光信号を受信するよう構成され、光信号の搬送波波長に近付くよう基準光信号の波長を調整するよう構成されるフィードバックループを有しても良い。
【０００７】
実施形態の目的及び利点が理解され、少なくとも特に特許請求の範囲で指摘された要素、特徴及び組合せを用いて達成されるだろう。
【０００８】
上述の全体的説明及び以下の詳細な説明の両方は、例示及び説明のためであり、本発明の範囲を限定しないことが理解される。
【図面の簡単な説明】
【０００９】
例示的な実施形態は、添付の図面を用いて、更なる特異性及び詳細事項と共に記載され説明される。
【図１Ａ】光信号の搬送波波長を再割り当てする例示的な光ネットワークのブロック図である。
【図１Ｂ】光スペクトルにおける図１Ａの光信号の搬送波波長の再割り当てを説明する。
【図２】光信号を受信する例示的な受信機のブロック図である。
【図３Ａ】光信号の搬送波波長を再割り当てする別の例示的な光ネットワークのブロック図である。
【図３Ｂ】光スペクトルにおける図３Ａの光ネットワーク内の光ノードの光パススルー帯域幅を示す。
【図３Ｃ】光スペクトルにおける図３Ａの光ネットワーク内の光ノードの光パススルー帯域幅を示す。
【図３Ｄ】光スペクトルにおける図３Ａの光ネットワーク内の光ノードの光パススルー帯域幅を示す。
【図３Ｅ】光スペクトルにおける図３Ａの光ネットワーク内の光ノードの光パススルー帯域幅を示す。
【図４Ａ】光信号の搬送波波長を再割り当てする別の例示的な光ネットワークのブロック図である。
【図４Ｂ】光スペクトルにおける図４Ａの光信号の搬送波波長の再割り当てを説明する。
【図５】本願明細書に記載した少なくとも幾つかの実施形態に従って構成された、光信号の搬送波波長を再割り当てする例示的な方法のフローチャートを示す。
【発明を実施するための形態】
【００１０】
本願明細書に記載する幾つかの実施形態は、光信号の搬送波波長を再割り当てする光ネットワークを有する。幾つかの実施形態では、光ネットワークは、送信機を有する光送信元ノードを有し得る。光送信元ノードは、光ネットワーク内で光信号を第１の波長で送信するよう構成されても良い。光信号の搬送波波長を第２の波長に再割り当てするために、光送信元ノードは、連続関数に従って、光信号の搬送波波長を第１の波長から第２の波長に調整するよう構成されても良い。連続関数に従った光信号の搬送波波長の調整は、光信号の搬送波波長を第１の波長と第２の波長の間の波長範囲で行き来させる。
【００１１】
光ネットワークは、受信機を有する光宛先ノードも有し得る。光宛先ノードは、光送信元ノードから光信号を受信するよう構成されても良い。幾つかの実施形態では、光宛先ノードは、光信号を復調するために用いられる基準光信号を含むコヒーレント受信機であっても良い。幾つかの実施形態では、光宛先ノードは、光信号の搬送波波長を近似するために基準光信号の波長を調整するよう構成されるフィードバックループを有しても良い。
【００１２】
連続関数に従って光信号の搬送波波長を調整し、及び光信号の搬送波波長を近似するために基準光信号の波長を調整することにより、光ネットワークは、光送信元ノード及び光宛先ノードの単一の対を用いて光信号の搬送波波長を再割り当てでき、限られたデータフローの中断若しくはデータロスしか又はそれらを殆ど有しない。
【００１３】
本発明の実施形態を、添付の図面を参照して以下に説明する。
【００１４】
図１Ａは、本願明細書に記載した少なくとも幾つかの実施形態に従って構成された、光信号１３０の搬送波波長を再割り当てする例示的な光ネットワーク１００のブロック図を示す。光ネットワーク１００は、送信機１１０、受信機１２０及び光ノード１４０、１４２、１４４を有しても良い。光経路１３２は、送信機１１０と受信機１２０との間に、光ノード１４０、１４２、１４４を通じて形成され、光経路１３２に沿って光信号１３０が伝搬できる。幾つかの実施形態では、送信機１１０は、制御回路１１２及び光源１１４を有しても良い。光源１１４は、制御回路１１２の制御下で光信号１３０を生成するよう構成されても良い。
【００１５】
送信機１１０は、光送信元ノードのような光ノード内にあり、光ネットワーク１００内で光信号の搬送波波長を再割り当てするために、光信号１３０の搬送波波長を第１の波長から第２の波長に調整するよう構成されても良い。光ネットワーク１００は、複数の光信号を光経路１３２に沿って変動する波長で送信できるようにし得る。光信号の搬送波波長の再割り当ては、光信号１３０の搬送波波長を光経路１３２に沿って第１の波長から第２の波長に変化させ、別の光信号が光ネットワーク１００内の光経路１３２に沿って第１の波長を使用できるようにすることを含む。例えば、幾つかの実施形態では、光信号１３０は、最初に、ある波長、例えば１５５２．５ナノメートルの第１の波長を有しても良い。送信機１１０は、光信号１３０の搬送波波長を調整して、別の光信号が１５５２．５ナノメートルの波長で送信されるようにしても良い。
【００１６】
幾つかの実施形態では、送信機１１０は、制御回路１１２及び光源１１４を用いて光信号１３０の搬送波波長を調整しても良い。より詳細には、制御回路１１２は、光源１１４の波長を変化させ、光信号１３０の搬送波波長を変化させても良い。幾つかの実施形態では、光源１１４は、波長可変レーザであっても良い。代替で又は追加で、光源１１４は、モードホップフリー波長可変レーザであっても良い。
【００１７】
幾つかの実施形態では、送信機１１０は、連続関数に従って光信号１３０の搬送波波長を調整しても良い。連続関数に従った光信号１３０の搬送波波長の調整は、光信号１３０の搬送波波長を第１の波長と第２の波長の間の波長範囲を実質的に連続的に行き来させる。上述の及び他の実施形態では、連続関数に従った光信号１３０の搬送波波長の調整は、光信号１３０の搬送波波長が第１の波長から第２の波長に調整されるとき、光信号１３０の搬送波波長が複数の波長に渡ってホップしないことを含んでも良い。
【００１８】
幾つかの実施形態では、送信機１１０は、データ信号を有する光信号１３０の搬送波波長を変調するよう構成されても良い。より詳細には、送信器１１０は、光信号１３０の搬送波波長の振幅、位相、又はその両方を変調するよう構成されても良い。幾つかの実施形態では、送信機１１０は、特に差動位相偏移変調、オンオフ変調、２相位相変調（ＢＰＳＫ）、４相位相変調（ＱＰＳＫ）、オフセット４相位相変調（ＯＱＰＳＫ）、ＤＰ（dual  polarization）−ＱＰＳＫ、Ｍ―ＱＡＭ（M-ary  quadrature  amplitude  modulation）、ＯＦＤＭ（orthogonal  frequency  division  multiplexing）のような変調形式を用いて光信号１３０の搬送波波長を変調しても良い。
【００１９】
受信機１２０は、光宛先ノードのような光ノードであり、光信号１３０を受信するよう構成されても良い。幾つかの実施形態では、受信機１２０は、コヒーレント受信機であり、基準光信号を生成しても良い。受信機１２０は、基準光信号を用いて光信号１３０を復調し、データ信号を得ても良い。幾つかの実施形態では、光信号１３０の搬送波波長が調整されるとき、受信機１２０は、基準光信号の波長を調整して光信号１３０の搬送波波長に近付けても良い。基準光信号の波長を光信号１３０の搬送波波長に近似することにより、光信号１３０の復調を支援できる。
【００２０】
送信機１１０と受信機１２０との間の光経路１３２内に配置された光ノード１４０、１４２、１４４は、変動する又は同一の光パススルー帯域幅を有しても良い。光ノード１４０、１４２、１４４の光パススルー帯域幅は、光ノード１４０、１４２、１４４が光信号をフィルタリング又は減衰させることなく通過できる光信号の波長を示し得る。幾つかの実施形態では、光ノード１４０、１４２、１４４は、第１及び第２の波長を含む光パススルー帯域幅を有し、光信号１３０が第１の波長から第２の波長に調整されるときに、光ノード１４０、１４２、１４４が光信号１３０を通過させるようにしても良い。代替で又は追加で、光ノード１４０、１４２、１４４は、光信号１３０の搬送波波長に基づき調整できる調整可能な光パススルー帯域幅を有し、光信号１３０がフィルタリング又は減衰されることなく光経路１３２に沿って通過できるようにしても良い。
【００２１】
光ノード１４０、１４２、１４４は、全て同一種類の光ノード、異なる種類の光ノード、又は異なる種類の光ノードの特定の組合せであっても良い。さらに、光ノード１４０、１４２、１４４は、無色（colorless）、無方向性（directionless）、無衝突（contentionless）、グリッドレス（gridless）、又はそれらの特定の組合せである再構成可能な光アッドドロップマルチプレクサであっても良い。幾つかの実施形態では、１又は複数の光ノード１４０、１４２、１４４は、フィルタ、調整可能フィルタ、波長選択スイッチ（wavelength  selective  switch：WSS）、可変帯域幅波長選択スイッチ（variable-bandwidth  wavelength  selective  switch：VB-WSS）又は光増幅器を有しても良い。代替で又は追加で、１又は複数の光ノード１４０、１４２、１４４は、光波長コンバータを有しても良い。図１Ａの実施形態は３個の光ノード１４０、１４２、１４４を有するが、他の実施形態では、光ネットワーク１００内の光ノードの数は、３より多くても少なくても良い。
【００２２】
幾つかの実施形態では、光ネットワーク１００は、光信号１３０を送信する媒体として光ファイバを用いる光ファイバネットワークであっても良い。幾つかの実施形態では、送信機１１０及び受信機１２０は、通信機、トランスポンダ、又はそれらの特定の組合せであっても良い。代替で又は追加で、送信機１１０及び受信機１２０は、本願明細書に記載した機能を実行するよう構成される、光ネットワーク１００内の幾つかの他の要素であっても良い。
【００２３】
図１Ｂは、本願明細書に記載する少なくとも幾つかの実施形態に従って構成された、光スペクトルにおける図１Ａの光信号１３０の搬送波波長の再割り当てを説明する。調整される前、光信号１３０は、第１の波長１６０の搬送波は長を有しても良い。幾つかの実施形態では、光信号１３０は、光信号スペクトル１５２により示されるようなスペクトル幅を有しても良い。光信号１３０の搬送波波長が調整されるとき、光信号１３０の搬送波波長は、矢印１６４の方向に連続的に、光スペクトル１５０内の第２の波長１６２に向かって移動する。第２の波長１６２に調整された後、光信号１３０の搬送波波長は、第２の波長１６２に等しくても良い。
【００２４】
図２は、本願明細書に記載した少なくとも幾つかの実施形態に従って構成された、光信号２３０を受信する例示的な受信機２２０のブロック図を示す。図２の光信号２３０は、例えば図１Ａ−１Ｂの光信号１３０に対応し得る。受信機２２０は、コヒーレント受信機であって、光信号２３０を受信し、光信号２３０を復調してデータ信号２７０を得るように構成されても良い。受信機２２０は、基準光信号２３４を生成するよう構成された基準光源２５０、基準制御部２５２、光コンバータ２６０、信号プロセッサ２６２を有しても良い。
【００２５】
光コンバータ２６０は、光信号２３０及び基準光信号２３４を受信し、光信号２３０を、信号プロセッサ２６２へ送信される未処理データ信号２６４に変換するよう構成されても良い。幾つかの実施形態では、光コンバータ２６０は、偏波ダイバーシティ光ハイブリッド（Polarization  Diversity-Optical  Hybrid）のような光学要素を有しても良い。このような光学要素は、光信号２３０及び基準光信号２３４の異なるベクトル和を得るために用いられる。ベクトル和の干渉信号は、光ダイオードのような平衡光受信器により検出され、アナログ電気信号に変換されても良い。アナログ電気信号は、アナログ−デジタルコンバータを用いてデジタル信号に変換されても良い。デジタル信号は、信号プロセッサ２６２へ未処理データ信号２６４として送信されても良い。
【００２６】
信号プロセッサ２６２は、未処理データ信号２６４を受信し、未処理データ信号２６４を処理してデータ信号２７０を生成するよう構成されても良い。信号プロセッサ２６２は、未処理データ信号２６４を処理するために１又は複数のモジュールを有しても良い。例えば、信号プロセッサ２６２は、デジタル信号プロセッサ、汎用マイクロプロセッサ、プロセッサ、ＦＰＧＡ（field-programmable  gate  array）、特定の他の演算ユニット若しくはデジタルロジック、又はそれらの特定の組合せを有しても良い。幾つかの実施形態では、信号プロセッサ２６２は、データ信号を等化し、光信号２３０と基準光信号２３４との間の周波数オフセット若しくは波長オフセットを補償し、及び／又は光信号２３０の位相及びデータ回復を実行することにより、未処理データ信号２６４を処理しても良い。
【００２７】
幾つかの実施形態では、信号プロセッサ２６２は、光信号２３０の搬送波波長と基準光信号２３４との間の周波数オフセット若しくは波長オフセットを基準制御部２５２に示す誤差信号を生成し送信するよう構成されても良い。基準制御部２５２は、基準光源２５０を制御して基準光信号２３４の波長を調整させ、光信号２３０の搬送波波長に近付けるよう構成されても良い。光コンバータ２６０、信号プロセッサ２６２、基準制御部２５２、及び基準光源２５０は、受信器２２０内のフィードバックループとして動作し、基準光信号２３４の波長を調整しても良い。
【００２８】
幾つかの実施形態では、受信機２２０は、図１Ａの送信機１１０のような送信機を含む光ネットワークの一部であっても良い。このような送信機は、光信号２３０の搬送波波長を第１の波長から第２の波長に調整する。上述の及び他の実施形態では、光信号２３０の搬送波波長が調整されるとき、受信機２２０は、光信号２３０の変化する搬送波波長に基づき、基準光信号２３４の波長を調整するよう動作しても良い。基準光信号２３４の波長を調整することにより、基準光信号２３４の波長は、光信号２３０の搬送波波長と同じレートで調整できる。基準光信号２３４の波長は光信号２３０の搬送波波長と同一又は実質的に同一のレートに調整されるので、光信号２３０の搬送波波長が、波長が連続関数に従って調整されない幾つかのシステムと比較して、データ損失若しくはデータ中断を低減され又は殆ど有しないで調整されるとき、受信器２２０は光信号２３０を復調できる。幾つかの実施形態では、光信号２３０の搬送波波長は、受信機２２０が基準光信号２３４を調整して光信号２３０の搬送波波長に近付け光信号２３０を復調できるレートで調整される。
【００２９】
幾つかの実施形態では、受信機２２０は、光ネットワーク内の通信機又はトランスポンダの一部であっても良い。幾つかの実施形態では、基準光源２５０は、波長可変レーザのような局発レーザであっても良い。代替で又は追加で、基準光源２５０は、モードホップフリー波長可変レーザであってもよい。
【００３０】
図３Ａは、本願明細書に記載した少なくとも幾つかの実施形態に従って構成された、光信号３３０の搬送波波長を再割り当てする別の例示的な光ネットワーク３００のブロック図を示す。光ネットワーク３００は、送信機３１０、受信機３２０、光ノード３４０及びネットワーク制御部３５０を含むがこれらに限定されない種々の光ノードを有しても良い。光経路３３２は、送信機３１０と受信機３２０との間に、光ノード３４０を通じて形成され、光経路３３２に沿って光信号３３０が伝搬できる。幾つかの実施形態では、送信機３１０は、制御回路３１２及び光源３１４を有しても良い。光源３１４は、制御回路３１２の制御下で光信号３３０を生成するよう構成されても良い。
【００３１】
幾つかの実施形態では、ネットワーク制御部３５０は、送信機３１０に指示して、光信号３３０の搬送波波長を第１の波長から第２の波長に調整させ、光ネットワーク３００内で光信号３３０の搬送波波長を再割り当てさせるように構成されても良い。代替として又は追加で、受信機３２０は、光信号３３０を受信し、光信号３３０を復調してデータ信号を得るように構成されても良い。幾つかの実施形態では、送信機３１０及び受信機３２０は、通信機、トランスポンダ、又はそれらの特定の組合せであっても良い。
【００３２】
ネットワーク制御部３５０は、光ノード３４０に指示して、光信号３３０の搬送波波長に基づき光ノード３４０の光パススルー帯域幅を調整させても良い。送信機はネットワーク制御部３５０の制御下で光信号３３０の搬送波波長を調整するので、ネットワーク制御部３５０は、変化する波長のアップデートを光ノード３４０へ送信し、光ノード３４０が自身の光パススルー帯域幅を調整して光信号３３０が光ノード３４０により減衰又はフィルタリングされないようにしても良い。
【００３３】
図１Ｂは、本願明細書に記載する少なくとも幾つかの実施形態に従って構成された、図３Ａの光ノード３４０の光パススルー帯域幅３７０を光スペクトル３５１で示す。図３Ｂは、光信号３３０が調整される前の、第１の波長３６０における光信号３３０の搬送波波長も示す。幾つかの実施形態では、光信号３３０は、光信号スペクトル３５２により示されるようなスペクトル幅を有しても良い。光ノード３４０の光パススルー帯域幅３７０は、光信号３３０により用いられる光スペクトルを包含するよう構成される。
【００３４】
光信号３３０の搬送波波長が調整されるとき、光信号３３０の搬送波波長は、第２の波長３６２へ向かって連続的にシフトする。図３Ｃは、本願明細書に記載した少なくとも幾つかの実施形態により構成された、第２の波長３６２へ向かってシフトされている光信号３３０を示す。上述の及び他の実施形態では、光信号３３０の搬送波波長が第１の波長３６０から第２の波長３６２へ調整されるとき、光ノード３４０の光パススルー帯域幅３７０は、第１及び第２の波長３６０、３６２の間の波長範囲を包含するよう拡大される。第１の波長及び第２の波長３６０、３６２の間の波長を包含する光パススルー帯域幅３７０により、光ノード３４０は、光信号３３０が光ノード３４０により減衰又はフィルタリングされないように調整されているので、光信号３３０を通過させる。光信号３３０の搬送波波長が第２の波長３６２に調整された後、光パススルー帯域幅３７０は、第１の波長３６０ではなく第２の波長３６２における光信号３３０を通過させるように減少されても良い。
【００３５】
図３Ｄは、本願明細書に記載した少なくとも幾つかの実施形態により構成された、第２の波長３６２へ向かってシフトされている光信号３３０を示す。上述の及び他の実施形態では、光信号３３０の搬送波波長が調整されるとき、光ノード３４０の光パススルー帯域幅３７０の幅は維持される。したがって、光パススルー帯域幅３７０により包含される光スペクトル３５１の量は、調整中維持される。しかしながら、光スペクトル３５１内の光パススルー帯域幅３７０の位置は、光信号３３０の搬送波波長が調整されるとき、光信号３３０の搬送波波長を光パススルー帯域幅３７０の範囲内に維持するよう調整されても良い。幾つかの実施形態では、光パススルー帯域幅３７０は、光信号３３０の搬送波波長の調整のレートに等しい又は実質的に等しいレートで調整されても良い。光スペクトル３５１内の光パススルー帯域幅３７０の位置を光信号３３０の搬送波波長の調整レートと同じ又は実質的に同じレートで調整することにより、光信号３３０の搬送波波長は、光信号が光ノード３４０により減衰又はフィルタリングされないように調整されているので、光パススルー帯域幅３７０内に維持される。
【００３６】
図３Ｅは、本願明細書に記載した少なくとも幾つかの実施形態により構成された、第２の波長３６２における光信号３３０の搬送波波長を示す。上述の及び他の実施形態では、光信号３３０が調整され第２の波長３６２に再割り当てされた後、光ノード３４０の光パススルー帯域幅３７０は、光信号３３０により用いられる波長範囲を包含し得るが、第１の波長３６０をフィルタリング又は減衰しない。代替として又は追加で、光パススルー帯域幅３７０は、第１の波長３６０と第２の波長３６２との間の波長範囲の一部及び第２の波長３６２より上の波長と同様に、第１の波長３６０をフィルタリング又は減衰しても良い。
【００３７】
幾つかの実施形態では、送信器３１０及び受信機３２０は、それぞれ光送信元ノード及び／又は光宛先ノード内に含まれても良い。上述の及び他の実施形態では、光送信元ノード及び／又は光宛先ノードは、調整可能フィルタ又はＶＢ−ＷＳＳを有しても良い。調整可能フィルタ又はＶＢ−ＷＳＳの光パススルー帯域幅は、光ノード３４０の光パススルー帯域幅と同様の方法で制御され、光信号３３０の搬送波波長が再割り当てされるとき、光信号３３０が減衰されないようにしても良い。
【００３８】
図３Ａに戻ると、幾つかの実施形態では、ネットワーク制御部３５０は、有線ネットワークを介して又は無線ネットワークを介して、光ノード３４０、送信機３１０及び／又は受信機３２０と通信しても良い。代替で又は追加で、ネットワーク制御部３５０は、異なる通信モードを用いて、光ノード３４０、送信機３１０及び／又は受信機３２０と通信しても良い。幾つかの実施形態では、ネットワーク制御部３５０は、受信機３２０に指示して、光信号３３０の波長の再割り当てに基づき、受信機３２０内の基準光信号の波長を調整させても良い。幾つかの実施形態では、ネットワーク制御部３５０は、送信機３１０を制御しなくても良い。上述の及び他の実施形態では、送信機３１０は、ネットワーク制御部３５０に信号を送信し、光信号３３０の変化する搬送波波長を示しても良い。また、ネットワーク制御部３５０は、送信機３１０からの受信信号に基づき光ノード３４０に指示しても良い。幾つかの実施形態では、ネットワーク制御部３５０は、プロセッサ、マイクロプロセッサ、ＦＰＧＡ（field  programmable  gate  array）又は他の論理回路若しくはモジュールを有しても良い。上述の及び他の実施形態では、ネットワーク制御部３５０は、本願明細書に記載した機能を実行するためのコンピュータにより実行可能な命令のセットに従って動作しても良い。
【００３９】
代替で又は追加で、光ネットワーク３００は、ネットワーク制御部３５０を有しなくても良い。上述の及び他の実施形態では、送信機３１０は、光ノード３４０に直接、光信号３３０の波長のアップデートを送信しても良い。他の実施形態では、光ノード３４０は、光信号３３０の搬送波波長が調整されるときに光信号３３０の波長の変化を検出し、自身の光パススルー帯域幅を相応して調整しても良い。
【００４０】
幾つかの実施形態では、光ノード３４０は、調整可能なフィルタ又はＶＢ−ＷＳＳを有しても良い。代替で又は追加で、光ネットワーク３００内の光ノードの数は、１より多くても良い。上述の及び他の実施形態では、ネットワーク制御部３５０は、受信機３２０及び／又は光ネットワーク３００内の全ての若しくは一部の光ノードを制御し、全ての若しくは一部の光ノードに、相応してそれらの光パススルー帯域幅を光信号３３０の搬送波波長に調整するよう指示しても良い。幾つかの実施形態では、光ネットワーク３００は、光信号３３０を送信する媒体として光ファイバを用いる光ファイバネットワークであっても良い。
【００４１】
図４Ａは、本願明細書に記載した少なくとも幾つかの実施形態に従って構成された、光信号４３０の搬送波波長を再割り当てする別の例示的な光ネットワーク４００のブロック図を示す。光ネットワーク４００は、送信機４１０、受信機４２０、光波長コンバータ４４０及びネットワーク制御部４５０を含むがこれらに限定されない種々の光ノードを有しても良い。光経路４３２は、送信機４１０と受信機４２０との間に、光波長コンバータ４４０を通じて形成され、光経路４３０に沿って光信号４３０が伝搬できる。光経路４３２は、送信機４１０と光波長コンバータ４４０との間の第１のリンク４３４、光波長コンバータ４４０と受信機４２０との間の第２のリンク４３６を有しても良い。幾つかの実施形態では、送信機４１０は、制御回路４１２及び光源４１４を有しても良い。光源４１４は、制御回路４１２の制御下で光信号４３０を生成するよう構成されても良い。
【００４２】
幾つかの実施形態では、ネットワーク制御部４５０は、送信機４１０に、光信号４３０の搬送波波長を第１の波長から第２の波長に調整して、光ネットワーク４００内で光信号４３０の搬送波波長を再割り当てするよう指示するよう構成されても良い。代替として又は追加で、受信機４２０は、光信号４３０を受信し、光信号４３０を復調してデータ信号を得るように構成されても良い。幾つかの実施形態では、送信機４１０及び受信機４２０は、通信機、トランスポンダ、又はそれらの特定の組合せであっても良い。
【００４３】
光波長コンバータ４４０は、送信機４１０から受信した光信号４３０の搬送波波長を別の波長に変換し、他の波長の光信号４３０を受信機４２０へ送信しても良い。幾つかの実施形態では、光波長コンバータは、光ノード内にあっても良い。光経路４３２の第１のリンク４３４の光信号４３０の搬送波波長は、光経路４３２の第２のリンク４３６の光信号４３０の搬送波波長と異なっても良い。
【００４４】
幾つかの実施形態では、光波長コンバータ４４０は、第１及び第２のポンプ４４２、４４４を用いて信号４３０の搬送波波長を変換しても良い。幾つかの実施形態では、光コンバータ４４０は、全光波長コンバータであっても良い。より詳細には、上述の及び他の実施形態では、光波長コンバータ４４０は、第１及び第２のポンプ４４２、４４４、第１のリンク４３４の光信号４３０、及び第２のリンク４３６の光信号４３０を用いて実施される和波長の生成と差分波長の生成との組合せを用いて、光信号４３０の搬送波波長を変換しても良い。幾つかの実施形態では、全光波長変換は、４波混合に基づき達成されても良い。第１及び第２のリンク４３４、４３６の光信号４３０の搬送波波長とポンプ４４２、４４４との間の関係は、光信号４３０の搬送波波長に基づく光信号４３０の搬送波周波数に基づき表現できる。例えば、第１のリンク４３４内の光信号４３０の搬送波周波数（Ｗｓ１）、第２のリンク４３６内の光信号４３０の搬送波周波数（Ｗｓ２）、第１のポンプ４４２の光周波数（Ｗｐ１）、及び第２のポンプ４４４の光周波数（Ｗｐ２）の間の関係は、次式の通りである。
【００４５】
Ws２=(Ws１+Wp１)−Wp２
幾つかの実施形態では、光波長コンバータ４４０は、調整可能な光帯域幅を有する調整可能なフィルタを有しても良い。調整可能なフィルタは、自身の帯域幅を調整して、第２のリンク４３６内の光信号４３０の搬送波波長を通過させ、一方で第１のリンク４３４内の光信号４３０の搬送波波長、第１のポンプ４４２の波長、第２のポンプ４４４の波長をフィルタリングする。
【００４６】
図４Ｂは、本願明細書に記載する少なくとも幾つかの実施形態に従って構成された、図４Ａの光信号４３０の搬送波波長の再割り当てを光スペクトル４５１で説明する。図４Ｂに示すように、光信号４３０の搬送波波長が調整される前に、第１のリンク４３４では、光信号４３０は、第１の波長４６０の搬送波波長を有しても良い。第２のリンク４３６では、光信号４３０の搬送波波長は、第３の波長４６４であっても良い。幾つかの実施形態では、光信号４３０は、光信号スペクトル４５２により示されるようなスペクトル幅を有しても良い。
【００４７】
送信機４１０が光信号４３０の搬送波波長を調整するので、第１のリンク４３４における光信号４３０の搬送波波長は、第２の波長４６２へ向かって連続的に移動する。第２の波長４６２に調整された後、第１のリンク４３４における光信号４３０の搬送波波長は、第２の波長４６２に等しい。さらに、送信機４１０が光信号４３０の搬送波波長を調整するので、第２のリンク４３６における光信号４３０の搬送波波長は、第４の波長４６６へ向かって連続的に移動する。第４の波長４６６に調整された後、第２のリンク４３６における光信号４３０の搬送波波長は、第４の波長４６６に等しい。
【００４８】
図４Ａに戻ると、光波長コンバータ４４０は、第１及び／又は第２のポンプ４４２、４４４の波長を連続関数に従って調整しても良い。例えば、第１のリンク４３４内の光信号４３０の搬送波波長は一定のままであり、一方で第２のリンク４３６内の搬送波波長は再割り当てされても良い。上述の及び他の実施形態では、光波長コンバータ４４０は、第１及び／又は第２のポンプ４４２、４４の波長を調整して光信号４３０の搬送波波長を調整し、それにより、第２のリンク４３６内の光信号４３０の搬送波波長を再割り当てし、一方で、送信機４１０は第１のリンク４３４内の光信号４３０の搬送波波長を一定に維持しても良い。代替で又は追加で、光波長コンバータ４４０及び送信機４１０の両方が光信号４３０の搬送波波長を調整し、結果として、第１及び第２のリンク４３４、４３６内の光信号４４０の搬送波波長の両方を再割り当てしても良い。幾つかの実施形態では、ネットワーク制御部４５０は、光波長コンバータ４４０に指示して、第１及び／又は第２のポンプ４４２、４４４の波長を調整させても良い。
【００４９】
幾つかの実施形態では、ポンプ４４２、４４４の一方又は両方は、波長可変レーザであってもよい。代替で又は追加で、ポンプ４４２、４４４の一方又は両方は、モードホップフリー波長可変レーザであってもよい。
【００５０】
幾つかの実施形態では、光ネットワーク４００は、光波長コンバータ４４０に加えて１又は複数の光ノードを有しても良い。光ノードは、調整可能なフィルタ、ＶＢ−ＷＳＳ、及び／又は他の光波長コンバータを有しても良い。上述の及び他の実施形態では、調整可能なフィルタ及びＶＢ−ＷＳＳは、調整可能な光パススルー帯域幅を有しても良い。幾つかの実施形態では、ネットワーク制御部４５０は、１又は複数の光ノード及び／又は受信機４２０を制御しても良い。ネットワーク制御部４５０は、調整可能なフィルタ又はＶＢ−ＷＳＳを有する１又は複数の光ノードを、それらの光パススルー帯域幅を相応して光信号４３０の搬送波波長に調整することにより、制御しても良い。幾つかの実施形態では、光ネットワーク４００は、光信号４３０を送信する媒体として光ファイバを用いる光ファイバネットワークであっても良い。
【００５１】
図５は、本願明細書に記載した少なくとも幾つかの実施形態に従って構成された、光信号の波長再割り当ての例示的な方法５００のフローチャートを示す。方法５００は、幾つかの実施形態では、図１Ａの光ネットワーク１００、図３Ａの光ネットワーク３００、及び／又は図４Ａの光ネットワーク４００のような光ネットワークにより実施されても良い。
【００５２】
方法５００は、ブロック５０２で開始しても良い。ブロック５０２では、光信号は、光経路に沿って、光信号を受信するよう構成された第１の光ノードへ送信されても良い。幾つかの実施形態では、第１の光ノードは、通信機又はトランスポンダであっても良い。代替で又は追加で、光信号は、光経路に沿った１又は複数の光ノードを通過しても良い。例えば、幾つかの実施形態では、光信号は、フィルタ、調整可能なフィルタ、ＷＳＳ、ＶＢ−ＷＳＳ及び／又は光波長コンバータを通過しても良い。代替で又は追加で、第１の光ノードにより受信された光信号は、光波長コンバータにより生成されても良い。幾つかの実施形態では、光経路は、光ファイバネットワーク内の光ファイバに沿っても良い。
【００５３】
ブロック５０４で、光信号の搬送波波長は、光信号の搬送波波長を再割り当てするために、連続関数に従って第１の波長から第２の波長に調整されても良い。幾つかの実施形態では、光信号の搬送波波長の再割り当ては、光信号の搬送波波長を第１の波長から第２の波長に変化させ、別の光信号が光経路に沿って第１の波長を使用できるようにすることを含んでも良い。代替で又は追加で、連続関数に従った光信号の搬送波波長の調整は、光信号の搬送波波長を第１の波長と第２の波長の間の波長を連続的に行き来させる。
【００５４】
幾つかの実施形態では、光信号が伝搬する光経路の一部について、光信号の搬送波波長が調整され、したがって再割り当てされても良い。代替で又は追加で、光信号の搬送波波長は、光経路の異なる部分で異なるように調整されても良い。例えば、光経路が光波長コンバータを有する場合、送信機と光波長コンバータとの間の光経路の第１の部分は、送信機により第１のレートで第２の波長に調整されても良い。光波長コンバータと第２の光ノードとの間の光経路の第２の部分は、光波長コンバータにより第２のレートで第４の波長に調整されても良い。幾つかの実施形態では、光信号の搬送波波長は、波長可変レーザのような調整可能な光源を調整することにより調整されても良い。代替で又は追加で、波長可変レーザは、モードホップフリー波長可変レーザであってもよい。
【００５５】
ブロック５０６で、受信機における光信号の搬送波波長と基準光信号の波長との間の周波数オフセット又は波長オフセットが推定されても良い。幾つかの実施形態では、周波数オフセットは、複素領域空間で光信号を基準光信号と混合し、混合した光信号を電気信号に変換し、電気信号を分析することにより決定されても良い。幾つかの実施形態では、周波数オフセットは、受信機内のデジタル信号処理を用いて推定されても良い。
【００５６】
ブロック５０８で、基準光信号の波長は、推定された周波数オフセットに基づき、光信号の搬送波波長に近付くよう調整されても良い。基準光信号を光信号の搬送波波長に近付くように調整することにより、基準光信号の波長は、光信号の搬送波波長と同じ又は実質的に同じレートで調整できる。基準光信号の波長及び光信号の搬送波波長を同じ又は実質的に同じレートで調整することにより、光信号は、データ損失又はデータ中断を低減され又は殆ど有しないで復調できる。
【００５７】
当業者は、この処理及び本願明細書に開始した他の処理及び方法において、その処理及び方法で実行される機能が異なる順序で実施されても良いことを理解するだろう。さらに、概略のステップ及び動作は、単に例として提供され、幾つかのステップ及び動作は、開示の実施形態の本質から逸脱することなく、任意であり、より少ないステップ及び動作に組み合わされ、又は追加ステップ及び動作に拡張されても良い。
【００５８】
例えば、方法５００は、光信号の搬送波波長に基づき、光経路内に配置された光ノードの光パススルー帯域幅を調整するステップを更に有しても良い。幾つかの実施形態では、光ノードの光パススルー帯域幅の調整は、第１及び第２の波長の間の波長を通過させるために光パススルー帯域幅を調整するステップを有しても良い。代替で又は追加で、光ノードの光パススルー帯域幅の調整は、光信号の搬送波波長が調整される間、光信号の搬送波波長を光パススルー帯域幅内に維持するよう光パススルー帯域幅を調整するステップを有しても良い。幾つかの実施形態では、光信号が第２の波長に調整された後に、光ノードの光パススルー帯域幅は、第２の波長を通過させ、第１の波長をフィルタリングしても良い。
【００５９】
幾つかの実施形態では、方法５００は、基準光信号を用いて光信号を復調するステップを更に有しても良い。幾つかの実施形態では、光信号は、データ信号と共に変調されても良い。例えば、光信号の振幅、位相又はその両方は、データ信号と共に変調されても良い。幾つかの実施形態では、変調方式は、特に差動位相偏移変調、オンオフ変調、２相位相変調（ＢＰＳＫ）、４相位相変調（ＱＰＳＫ）、オフセット４相位相変調（ＯＱＰＳＫ）、ＤＰ（dual  polarization）−ＱＰＳＫ、Ｍ―ＱＡＭ（M-ary  quadrature  amplitude  modulation）、ＯＦＤＭ（orthogonal  frequency  division  multiplexing）を有しても良い。
【００６０】
幾つかの実施形態では、方法５００は、光信号の搬送波波長を調整する前に、光信号の搬送波波長を近似するよう基準光信号の波長を設定するステップを有しても良い。代替で又は追加で、基準光信号の波長は、光信号の搬送波波長が第１の波長から第２の波長に調整されるとき、およそ光信号の搬送波波長に維持されても良い。
【００６１】
幾つかの実施形態では、方法５００は、複数の搬送波波長を同時に調整するステップを更に有しても良い。幾つかの実施形態では、複数の搬送波波長は、光ネットワーク内の単一のチャネル内にあっても良い。上述の及び他の実施形態では、チャネル内の搬送波波長の全部又は一部は、同時に再割り当てされても良い。
【００６２】
本願明細書に記載した実施形態は、以下に更に詳細に議論するように、種々のコンピュータハードウェア又はソフトウェアモジュールを備えた特定用途又は汎用コンピュータの使用を含み得る。
【００６３】
本願明細書に記載した実施形態は、コンピュータにより実行可能な命令又はデータ構造を伝える又は格納しているコンピュータ可読媒体を用いて実施され得る。このようなコンピュータ可読媒体は、汎用又は特定目的コンピュータによりアクセスできる利用可能な媒体であり得る。例として且つ限定ではなく、このようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置を含むコンピュータ可読有体、又はコンピュータにより実行可能な命令若しくはデータ構造の形式で所望のプログラムコード手段を伝える若しくは格納するために用いられ汎用若しくは特定目的コンピュータによりアクセス可能な他の媒体を有し得る。上述の組合せも、コンピュータ可読媒体の範囲に包含されるべきである。
【００６４】
コンピュータにより実行可能な命令は、例えば、汎用コンピュータ、特定目的コンピュータ又は特定目的処理装置に特定の機能又は機能グループを実行させる命令及びデータを有する。本発明の主題は構造的特徴及び／又は方法論的動作に特有の言葉で記載されたが、本発明の主題は、特許請求の範囲に定められる上述の特定の特徴又は動作に限定されないことが理解されるべきである。むしろ、上述の特定の特徴及び動作は、特許請求の範囲の実施の例示的携帯として開示されたものである。
【００６５】
本願明細書で用いられるように、用語「モジュール」又は「コンポーネント」は、コンピュータシステムで実行されるソフトウェアオブジェクト又はルーチンを表し得る。本願明細書に記載されたのと異なるコンポーネント、モジュール、エンジン及びサービスは、（例えば、別個のスレッドとして）コンピュータシステムで実行されるオブジェクト又は処理として実施されても良い。本願明細書に記載されたシステム及び方法はソフトウェアで実施されることが望ましいが、ハードウェアによる実装又はソフトウェアとハードウェアの組合せも、可能であり想定される。この説明では、「コンピュータエンティティ」は、本願明細書で先に定められたようにコンピュータシステム、又はコンピュータシステムで実行されるモジュール若しくはモジュールの組合せであっても良い。
【００６６】
本願明細書に記載された全ての例及び条件文は、教育上の目的で、読者が本発明の原理及び発明者により考案された概念を理解するのを助け、技術を促進させるためであり、これらの特に記載された例及び条件に限定されないものと考えられるべきである。本発明の実施形態が詳細に記載されたが、種々の変更、置換及び修正が本発明の精神及び範囲から逸脱することなく行われうることが理解されるべきである。
【００６７】
以上の実施形態に関し、さらに以下の付記を開示する。
（付記１）  光信号の波長を再割り当てする光ネットワークであって、前記光ネットワークは、
光経路に沿って光信号を送信するよう構成された第１の光ノードであって、前記第１の光ノードは、前記光信号の搬送波波長を再割り当てするために、連続関数に従って前記光信号の搬送波波長を第１の波長から第２の波長に調整する、第１の光ノードと、
前記光信号を受信するよう構成された第２の光ノードであって、前記第２の光ノードは、基準光信号の波長を調整して前記光信号の搬送波波長に近付けるよう構成されたフィードバックループを有する、第２の光ノードと、
を有する光ネットワーク。
（付記２）  前記第１の光ノードと前記第２の光ノードとの間に前記光経路内に配置された第３の光ノードであって、前記第３の光ノードの光パススルー帯域幅は、前記光信号の搬送波波長に基づき調整される、第３の光ノード、
を更に有する付記１に記載の光ネットワーク。
（付記３）  前記第３の光ノードは、調整可能なフィルタ、可変帯域幅波長選択スイッチ、又は光波長コンバータを有する、付記２に記載の光ネットワーク。
（付記４）  前記第１の光ノード及び前記第２の光ノードの各々は、通信機又はトランスポンダを有する、付記１に記載の光ネットワーク。
（付記５）  前記第１の光ノードは、光波長コンバータを有する、付記１に記載の光ネットワーク。
（付記６）  前記光経路内に配置された第３の光ノード、を更に有し、
前記第１の光ノードは前記第３の光ノードと前記第２の光ノードとの間にあり、前記第３の光ノードは、第３の波長に等しい前記光信号の搬送波波長で、前記光信号を前記光波長コンバータへ送信するよう構成される、
付記５に記載の光ネットワーク。
（付記７）  前記第３の光ノードは、前記光信号の波長を前記第３の光ノードと前記第１の光ノードの間に再割り当てするために、連続関数に従って前記光信号の搬送波波長を前記第３の波長から第４の波長に調整するよう構成される、付記６に記載の光ネットワーク。
（付記８）  連続関数に従った光信号の搬送波波長の調整は、搬送波波長を前記第１の波長と前記第２の波長の間の波長範囲で行き来させる、付記１に記載の光ネットワーク。
（付記９）  光信号の波長再割り当ての方法であって、前記方法は、
光信号を受信するよう構成された第１の光ノードへ光経路に沿って光信号を送信し、
前記光信号の搬送波波長を再割り当てするために、連続関数に従って前記光信号の搬送波波長を第１の波長から第２の波長に調整し、
前記第１の光ノードにおける前記光信号の搬送波波長と基準光信号の波長との間の周波数オフセットを推定し、
前記の推定した周波数オフセットに基づき、前記光信号の搬送波波長に近付くよう、前記基準光信号の波長を調整する、
方法。
（付記１０）  さらに、前記光信号の搬送波波長に基づき、前記光経路内に配置された第２の光ノードの光パススルー帯域幅を調整する、付記９に記載の方法。
（付記１１）  前記第２の光ノードの光パススルー帯域幅の調整は、前記第１及び第２の波長の間の波長を通過させるために前記光パススルー帯域幅を調整することを含む、付記１０に記載の方法。
（付記１２）  前記第２の光ノードの光パススルー帯域幅の調整は、前記光信号の搬送波波長が調整される間、前記光信号の搬送波波長を前記光パススルー帯域幅内に維持するよう前記光パススルー帯域幅を調整することを含む、付記１０に記載の方法。
（付記１３）  さらに、前記基準光信号を用いて前記光信号を復調する、付記９に記載の方法。
（付記１４）  前記光信号の搬送波波長は、前記光経路の一部について調整される、付記９に記載の方法。
（付記１５）  前記基準光信号の波長は、前記光信号の搬送波波長が前記第１の波長から前記第２の波長に調整されるとき、およそ前記光信号の搬送波波長に維持される、付記９に記載の方法。
（付記１６）  光ネットワーク内で光信号の波長を再割り当てするシステムであって、前記システムは、
光経路に沿って光信号を送信するよう構成された第１の光ノードであって、前記第１の光ノードは、連続関数に従って前記光信号の搬送波波長を第１の波長から第２の波長に調整するよう構成される、第１の光ノードと、
前記光信号を受信するよう構成された第２の光ノードであって、前記第２の光ノードは、前記光信号の搬送波波長が調整されるとき、前記光信号の搬送波波長に近付くよう基準光信号の波長を調整するよう構成された基準制御部を有する、第２の光ノードと、
前記第１及び第２の光ノードの間の前記光経路内に配置された第３の光ノードであって、前記第３の光ノードは、調整可能な光パススルー帯域幅を有する、第３の光ノードと、
前記第１の光ノードに、前記光信号の搬送波波長を前記第２の波長に調整するよう指示し、前記第３の光ノードに、前記光信号の搬送波波長に基づき前記光ノードの光パススルー帯域幅を調整するよう指示するよう構成されたネットワーク制御部と、
を有するシステム。
（付記１７）  前記ネットワーク制御部は、前記光信号の搬送波波長が調整される間、前記第１及び前記第２の波長の間の波長を通過させるよう前記第３の光ノードの光パススルー帯域幅を調整し、前記光信号の搬送波波長が前記第２の波長に調整された後、前記第２の波長を通過させ前記第１の波長をフィルタリングするよう前記第３の光ノードの光パススルー帯域幅を調整するよう構成される、付記１６に記載のシステム。
（付記１８）  前記ネットワーク制御部は、前記光信号の搬送波波長が調整される間、前記光信号の搬送波波長を光パススルー帯域幅内に維持するよう前記第３の光ノードの光パススルー帯域幅を調整し、前記光信号の搬送波波長が前記第２の波長に調整された後、前記第３の光ノードの光パススルー帯域幅は、前記第２の波長を通過させ前記第１の波長をフィルタリングするよう構成される、付記１６に記載のシステム。
（付記１９）  前記第３の光ノードは、調整可能なフィルタ、又は可変帯域幅波長選択スイッチを有する、付記１６に記載のシステム。      
（付記２０）  前記ネットワーク制御部は、前記基準光信号の波長を調整するよう構成された基準制御部に指示するよう構成される、付記１６に記載のシステム。
【符号の説明】
【００６８】
１１０  送信機
１１２  制御回路
１１４  光源
１２０  受信機
１３０、２３０、３３０、４３０  光信号
１３２、３３２、４３２  光経路
１４０、１４２、１４４、３４０  光ノード
２３４  基準光信号
２５０  基準光源
２５２  基準制御部
２６０  光コンバータ
２６２  信号プロセッサ
２６４  未処理データ信号
２７０  データ信号
３１０  送信機
３１２  制御回路
３１４  光源
３２０  受信機
３５０  ネットワーク制御部
４１０  送信機
４１２  制御回路
４１４  光源
４２０  受信機
４３４、４３６  リンク
４４０  光波長コンバータ
４５０  ネットワーク制御部
【図１Ａ】
2013198167.tif 000003
【図１Ｂ】
2013198167.tif 000004
【図２】
2013198167.tif 000005
【図３Ａ】
2013198167.tif 000006
【図３Ｂ】
2013198167.tif 000007
【図３Ｃ】
2013198167.tif 000008
【図３Ｄ】
2013198167.tif 000009
【図３Ｅ】
2013198167.tif 000010
【図４Ａ】
2013198167.tif 000011
【図４Ｂ】
2013198167.tif 000012
【図５】
2013198167.tif 000013